(57)【要約】  本発明は、垂直式ダイレクトＰＣＢコネクタに関する。本発明の一態様による垂直式ダイレクトＰＣＢコネクタは、ＰＣＢ基板の一面に垂直に取り付けられるコネクタハウジングと、コネクタハウジングの内部に設けられ、一側はＰＣＢ基板の一面と直交する方向に対応する第１方向に延びてケーブルに連結され、他側はＰＣＢ基板の一面に備えられる接触パッドの長さ方向に対応する第２方向に延びて接触パッドに接触可能に設けられる複数の折曲型ターミナル部材とを含む。
2020532834.tif 000002
【特許請求の範囲】
【請求項１】
ＰＣＢ基板の一面に垂直に直接取り付けられるコネクタハウジングと、
前記コネクタハウジングの内部に設けられ、一側は前記ＰＣＢ基板の一面と直交する方向に対応する第１方向に延びて信号伝送用ケーブルに連結され、他側は前記ＰＣＢ基板の一面に備えられる接触パッドの長さ方向に対応する第２方向に延びて前記接触パッドに接触可能に設けられる複数の折曲型ターミナル部材と、を含む、垂直式ＰＣＢコネクタ。
【請求項２】
前記コネクタハウジングは、
前記複数の折曲型ターミナル部材を収容して前記ＰＣＢ基板の一面に接触配置されるコネクタ本体と、
前記コネクタ本体の対向する両側の外面に備えられ、前記ＰＣＢ基板に備えられる第１孔に垂直に挿入され、前記ＰＣＢ基板の他面に垂直方向で係合される掛け金部と、を含む、請求項１に記載の垂直式ＰＣＢコネクタ。
【請求項３】
前記掛け金部は、それぞれ、
対応する前記コネクタ本体の外面に直交するように突出する支持部と、
前記支持部に直交して連結されて前記コネクタ本体の外面に並んで延び、前記第１孔を通過して前記ＰＣＢ基板の他面に係合可能なラッチを一端に備えたレバー部と、を含み、
前記レバー部は、前記支持部を支点にしてシーソー動作可能に設けられる、請求項２に記載の垂直式ＰＣＢコネクタ。
【請求項４】
前記コネクタハウジングは、
前記ＰＣＢ基板の一面に当接する前記コネクタ本体の下端部から垂直に延び、前記ＰＣＢ基板に備えられる第２孔に締り嵌めされるロックピン部をさらに含む、請求項２または３に記載の垂直式ＰＣＢコネクタ。
【請求項５】
前記ロックピン部は、両側の前記掛け金部と等変三角構造を成す位置に配置される、請求項４に記載の垂直式ＰＣＢコネクタ。
【請求項６】
前記複数の折曲型ターミナル部材は、
所定の厚さを有するブロック形態であって前記第１方向に延びる垂直部、及び前記垂直部と交差して前記第２方向に延びる水平部を備えるターミナルボディ部と、
前記水平部よりも薄くて前記水平部の終端から前記第２方向に延びるカンチレバー型で設けられ、前記ＰＣＢ基板の接触パッド方向に曲げられた接点部を有するターミナルコンタクト部と、を含む、請求項２から５のいずれか一項に記載の垂直式ＰＣＢコネクタ。
【請求項７】
前記コネクタ本体は、
前記第１方向と交差する方向で前記コネクタ本体の内部空間を分割する内部板と、
前記内部板の一側端部と隣接した位置に備えられ、互いに所定間隔を置いて前記第１方向で前記コネクタ本体の内部にトンネルを形成する複数の貫通孔とをさらに含み、
前記複数の折曲型ターミナル部材の前記垂直部はそれぞれ前記複数の貫通孔に挿入配置され、前記複数の折曲型ターミナル部材の前記水平部は前記内部板に接触配置される、請求項６に記載の垂直式ＰＣＢコネクタ。
【請求項８】
前記内部板は、
前記複数の折曲型ターミナル部材の水平部同士の間に配置される複数の隔壁部を含む、請求項７に記載の垂直式ＰＣＢコネクタ。
【請求項９】
前記複数の折曲型ターミナル部材は、
前記垂直部に対して前記第１方向の反対方向へと鋭角を成して突出し、前記水平部が前記内部板に当接する面の裏面に配置される離脱防止ピンをさらに含む、請求項７または８に記載の垂直式ＰＣＢコネクタ。
【請求項１０】
前記コネクタ本体の下端部に取り付けられて前記複数の折曲型ターミナル部材の前記ターミナルボディ部を支持するリテーナをさらに含む、請求項７から９のいずれか一項に記載の垂直式ＰＣＢコネクタ。
【発明の詳細な説明】
【技術分野】
【０００１】
本発明は、基板接続用コネクタに関し、より詳しくは、相補型コネクタ（ｃｏｍｐｌｅｍｅｎｔａｒｙ  ｃｏｎｎｅｃｔｏｒ）のないＰＣＢ基板に直接垂直で締結可能な垂直式ダイレクトＰＣＢコネクタに関する。
【０００２】
本出願は、２０１８年５月８日出願の韓国特許出願第１０−２０１８−００５２６５３号に基づく優先権を主張し、上記出願の明細書及び図面に開示された内容は、すべて本出願に組み込まれる。
【背景技術】
【０００３】
近年、ラップトップパソコン、タブレットパソコン、スマートフォンなどの電子機器を含む二次電池製品の充放電制御部品であるＢＭＳ（Ｂａｔｔｅｒｙ  Ｍａｎａｇｅｍｅｎｔ  Ｓｙｓｔｅｍ）の小型化、軽量化趨勢によって、その回路基板に実装される電子素子の密度が高くなり、それによってコネクタ装置にも軽薄短小化が求められている。
【０００４】
図１は、従来技術によるコネクタ装置を概略的に示した図である。
【０００５】
図１に示したように、一般に従来のコネクタ装置は、雌コネクタ４（ｆｅｍａｌｅ  ｃｏｎｎｅｃｔｏｒ）と雄コネクタ５（ｍａｌｅ  ｃｏｎｎｅｃｔｏｒ）との一対で構成され、雌コネクタ４にはコンタクトである複数のピンが設けられ、雄コネクタ５には複数のピンと接触する複数のプラグターミナルが設けられる。雄コネクタ５は回路基板６に表面実装（ＳＭＴ：Ｓｕｒｆａｃｅ  Ｍｏｕｎｔｅｒ  Ｔｅｃｈｎｏｌｏｇｙ）され、雌コネクタ４は雄コネクタ５と相補的に締結される。
【０００６】
しかし、このように雌コネクタ４及び雄コネクタ５の両方を使用する場合、互いに異なる別のボディとコンタクトを、相異なる金型を用いて製作し、一方のコネクタは回路基板に表面実装しなければならないため、製造工程が複雑になって製造コストが嵩むという問題がある。
【０００７】
このようなコネクタ構造の代案として、特許文献１には、回路基板から雄コネクタを無くし、回路基板の導電パターンにターミナルを直接接続する基板エッジ接続型コネクタが開示されている。しかし、基板エッジ接続型コネクタの場合、コネクタが回路基板のエッジに位置しなければならないという制約があるため、回路基板の設計自由度及び耐衝撃性が低下し、僅かな外力でもコネクタが脱去するなどの問題がある。
【０００８】
したがって、印刷回路基板にコネクタを接続する際、コネクタ構造及び製造工程を簡素化しながらも回路基板上の任意の位置に接続でき、さらに基板に加えられる外力に対しても脱去または接続不良を防止できるコネクタ装置が求められている。
【先行技術文献】
【特許文献】
【０００９】
【特許文献１】韓国特許公開第１０−２０１２−００８６７３５号公報
【発明の概要】
【発明が解決しようとする課題】
【００１０】
本発明が解決しようとする技術的課題は、印刷回路基板へのコネクタ接続において、コネクタ構造及び製造工程を簡素化しながらも回路基板上の任意の位置に接続でき、基板に加えられる外力に対しても脱去または接続不良を防止することができるコネクタを提供することである。
【課題を解決するための手段】
【００１１】
本発明の一態様によれば、ＰＣＢ基板の一面に垂直に取り付けられるコネクタハウジングと、コネクタハウジングの内部に設けられ、一側はＰＣＢ基板の一面と直交する方向に対応する第１方向に延びて信号伝送用ケーブルに連結され、他側はＰＣＢ基板の一面に備えられる接触パッドの長さ方向に対応する第２方向に延びて接触パッドに接触可能に設けられる複数の折曲型ターミナル部材とを含む垂直式ＰＣＢコネクタが提供される。
【００１２】
コネクタハウジングは、折曲型ターミナル部材を収容してＰＣＢ基板の一面に接触配置されるコネクタ本体と、コネクタ本体の対向する両側の外面に備えられ、ＰＣＢ基板に備えられる第１孔に垂直に挿入され、ＰＣＢ基板の他面に垂直方向で係合される掛け金部とを含み得る。
【００１３】
掛け金部は、それぞれ、対応するコネクタ本体の外面に直交するように突出する支持部と、支持部に直交して連結されてコネクタ本体の外面に並んで延び、第１孔を通過してＰＣＢ基板の他面に係合可能なラッチを一端に備えたレバー部とを含み、レバー部は支持部を支点にしてシーソー（ｓｅｅｓａｗ）動作可能に設けられ得る。
【００１４】
コネクタハウジングは、ＰＣＢ基板の一面に当接するコネクタ本体の下端部から垂直に延び、ＰＣＢ基板に備えられる第２孔に締り嵌めされるロックピン部をさらに含み得る。
【００１５】
ロックピン部は、両側の掛け金部と等変三角構造を成す位置に配置され得る。
【００１６】
折曲型ターミナル部材は、所定の厚さを有するブロック形態であって第１方向に延びる垂直部、及び垂直部と交差して第２方向に延びる水平部を備えるターミナルボディ部と、水平部よりも薄くて水平部の終端から第２方向に延びるカンチレバー型で設けられ、ＰＣＢ基板の接触パッド方向に曲げられた接点部を有するターミナルコンタクト部とを含み得る。
【００１７】
コネクタ本体は、第１方向と交差する方向でコネクタ本体の内部空間を分割する内部板と、内部板の一側端部と隣接した位置に備えられ、互いに所定間隔を置いて第１方向でコネクタ本体の内部にトンネルを形成する複数の貫通孔とをさらに含み、折曲型ターミナル部材の垂直部はそれぞれ貫通孔に挿入配置され、折曲型ターミナル部材の水平部は内部板に接触配置され得る。
【００１８】
内部板は、折曲型ターミナル部材の水平部同士の間に配置される複数の隔壁部を含み得る。
【００１９】
折曲型ターミナル部材は、垂直部に対して第１方向の反対方向へと鋭角を成して突出し、水平部が内部板に当接する面の裏面に配置される離脱防止ピンをさらに含み得る。
【００２０】
コネクタ本体の下端部に取り付けられて折曲型ターミナル部材のターミナルボディ部を支持するリテーナをさらに含み得る。
【発明の効果】
【００２１】
本発明の一態様によれば、別途の相補型コネクタを使用せずに印刷回路基板上の接触パッドに直接接続するコネクタであって、コネクタの構造及び製造工程を簡素化して製造コストを節減することができる。
【００２２】
また、印刷回路基板に対して垂直に取り付けられるように構成されることで、基板の周縁の内側領域に配置でき、印刷回路基板の空間活用性または設計自由度を向上させることができる。
【００２３】
本発明の他の態様によれば、印刷回路基板に対して容易に着脱可能でありながらも、Ｘ、Ｙ、Ｚ軸方向への堅固な固定性を確保することで、外力による脱去や接続不良などを防止することができる。
【００２４】
本発明が属する技術分野の通常の知識を持つ者であれば、本発明による多様な実施形態によって上述していない他の技術的課題も解決できることを後述する説明から明確に理解できるであろう。
【図面の簡単な説明】
【００２５】
【図１】従来技術によるコネクタ装置を概略的に示した図である。
【図２】本発明の一実施形態による垂直式ＰＣＢコネクタがＰＣＢ基板に取り付けられた様子を概略的に示した斜視図である。
【図３】図２のＰＣＢ基板と垂直式ＰＣＢコネクタとを分離した斜視図である。
【図４】図３の垂直式ＰＣＢコネクタを下部から眺めた斜視図である。
【図５】図２のＩ−Ｉ'に沿った垂直式ＰＣＢコネクタの断面図である。
【図６】図２のＩＩ−ＩＩ'に沿った垂直式ＰＣＢコネクタの断面図である。
【図７】図６のレバー部のラッチの部分拡大図である。
【図８】図６に対応する図面であって、垂直式ＰＣＢコネクタの脱去方法を説明するための図である。
【図９】図７に対応する図面であって、本実施形態のレバー部の変形例を示した図である。
【図１０】本発明の一実施形態による垂直式ＰＣＢコネクタの分解斜視図である。
【図１１】図１０のターミナル部材を示した斜視図である。
【図１２】本発明の一実施形態によるコネクタハウジングにターミナル部材を組み立てた状態を示した斜視図である。
【発明を実施するための形態】
【００２６】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２７】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２８】
以下の説明において、ＰＣＢ基板とは、バッテリーパックを構成するＢＭＳチップを備えたＢＭＳ回路基板を意味し得る。ＢＭＳはバッテリーセルの充放電、セルバランシングなどを制御する。本発明による垂直式ＰＣＢコネクタは、ＢＭＳ回路基板に接続して、バッテリーセルの電圧情報などをＢＭＳに伝送するときに使用される。勿論、ＰＣＢ基板がＢＭＳ回路基板のみを意味することはない。すなわち、ＰＣＢ基板は、ラップトップパソコン、タブレットパソコン、スマートフォンなどの電子機器に使用される印刷回路基板を含む概念であり得る。
【００２９】
図２は本発明の一実施形態による垂直式ＰＣＢコネクタがＰＣＢ基板に取り付けられた様子を概略的に示した斜視図であり、図３は図２の基板と垂直式ＰＣＢコネクタとを分離した斜視図であり、図４は図３の垂直式ＰＣＢコネクタを下部から眺めた斜視図であり、図５は図２のＩ−Ｉ'に沿った垂直式ＰＣＢコネクタの断面図である。
【００３０】
本明細書において、ＰＣＢ基板２の一面と直交する方向に対応する方向を第１方向と定義し、ＰＣＢ基板２の接触パッド３の長手方向に対応する方向を第２方向と定義することにする。図２及び図３を参照してさらに説明すれば、第１方向は＋Ｚ軸方向であり、第２方向は＋Ｘ軸方向である。また、上下左右及び前後方向は、ＰＣＢ基板２の一面に垂直に取り付けられたＰＣＢコネクタを基準にする。
【００３１】
図２〜図５を参照すれば、本発明の一実施形態による垂直式ＰＣＢコネクタ１は、コネクタハウジング１０、複数の折曲型ターミナル部材２０、リテーナ３０を含む。
【００３２】
垂直式ＰＣＢコネクタ１は、コネクタハウジング１０の内側に略「Ｌ」字状に形成された折曲型ターミナル部材２０を備え、折曲型ターミナル部材２０の接点部２２ａがＰＣＢ基板２の接触パッド３に弾性的に接触することでＰＣＢ基板と電気的に連結されるように構成される。
【００３３】
コネクタハウジング１０は、ＰＣＢ基板２の一面に直接垂直に取り付けられる構成品であって折曲型ターミナル部材２０を内部に収容するコネクタ本体１１、及びコネクタ本体１１をＰＣＢ基板２の一面に取り付けるための手段としての掛け金部１２とロックピン部１８を含む。
【００３４】
コネクタハウジング１０がＰＣＢ基板２の一面に取り付けられるとき、コネクタ本体１１は下端部を形成する周縁部分がＰＣＢ基板２の一面に当接するように設けられる。そして、コネクタ本体１１は、コネクタ本体の下端部１１ａの内側空間に（折曲型ターミナル部材２０の接点部２２ａのみがコネクタ本体の下端部１１ａよりもコネクタ本体の外側に突出するように）折曲型ターミナル部材２０を嵌め込んで固定可能な内部構造を有する。これについて詳しくは後述する。
【００３５】
掛け金部１２は、図４、図６及び図７を一緒に参照すれば、コネクタ本体１１の対向する両側の外面、換言すればコネクタ本体１１の左／右側面に対称的に一つずつ備えられ、ＰＣＢ基板２に備えられる第１孔２ａに垂直に挿入されてＰＣＢ基板２の他面に垂直方向で係合されるように設けられる。
【００３６】
特に、本実施形態による掛け金部１２は、それぞれ、対応するコネクタ本体１１の外面に直交するように突出する支持部１４、及び支持部１４に直交して連結されてコネクタ本体１１の外面に並んで上下方向に延びるレバー部１６を含んで構成される。
【００３７】
レバー部１６は、一端にラッチ１６ａを有し、所定の距離だけコネクタ本体の下端部１１ａよりも低い位置まで延びる。このようなレバー部１６は、図７のように、ＰＣＢ基板２に備えられる第１孔２ａに垂直に挿入された後、ラッチ１６ａがＰＣＢ基板２の他面に垂直方向で係合される。このようにレバー部１６のラッチ１６ａがＰＣＢ基板２の他面に垂直方向で係合されることで、コネクタ本体１１がＰＣＢ基板２の一面に対してＺ軸方向に動くことを抑制することができる。
【００３８】
一方、本実施形態によるレバー部１６は、支持部１４がレバー部１６の長手方向の略中間地点に連結されているため、一端を押せば支持部１４を支点にしてシーソー動作することができる。すなわち、図８のように、支持部１４を支点にしてレバー部１６の一端を押すと、レバー部１６の他端が押された方向の反対方向に移動する。そして、押されたレバー部１６の一側を離すと、レバー部１６は支持部１４に対して直交する元の状態に復帰するようになる。このような支持部１４及びレバー部１６は、所定の荷重範囲以内で弾性復元可能な素材を用いてコネクタ本体１１と一体的に形成することができる。
【００３９】
レバー部１６の厚さは第１孔２ａの（Ｙ軸方向）幅よりも薄く、ラッチ１６ａのサイズは第１孔２ａの幅Ｇとほぼ同じである。したがって、レバー部１６を第１孔２ａに挿入するときは、ラッチ１６ａの位置を第１孔２ａと上下で一致させなければならない。したがって、コネクタハウジング１０をＰＣＢ基板２の一面に取り付けるとき、レバー部１６の上端を軽く押してラッチ１６ａを第１孔２ａ内に垂直で挿入した後、レバー部１６を離せば、レバー部１６の位置が元の状態に復帰しながら、ラッチ１６ａがＰＣＢ基板２の他面に係合されるようにする。
【００４０】
コネクタハウジング１０をＰＣＢ基板２の一面から脱去するときは、装着時と同じ方式でレバー部１６を押した状態でコネクタハウジング１０を＋Ｚ軸方向に持ち上げれば良い。
【００４１】
また、レバー部１６の幅と第１孔２ａの一側（Ｘ軸方向）の幅とを一致させることで、コネクタ本体１１のＸ軸方向の移動を抑制することができる。
【００４２】
一方、ラッチ１６ａの係合動作、及び第１孔２ａに対する挿入及び脱去のため、レバー部１６の厚さが第１孔２ａの（±Ｙ方向）幅よりも薄く形成されることから、二つのレバー部１６を使用しても第１孔２ａ内で若干の隙間が生じ得る。したがって、コネクタ本体１１のＹ軸方向の固定性はＸ、Ｚ軸に比べて多少不完全であり得る。
【００４３】
図９は、図７に対応する図面であって、本実施形態のレバー部１６の変形例を示した図である。
【００４４】
本変形例によるレバー部１６は、ラッチ１６ａの係合方向と同じ方向で、ＰＣＢ基板２の第１孔２ａ内に配置されるレバー部１６の一部区間にエンボスパターン部１６ｂをさらに備えることができる。レバー部１６が第１孔２ａ内に押し込まれてＰＣＢ基板２の他面に係合されるとき、レバー部１６のエンボスパターン部１６ｂが第１孔２ａ内の側面に接触することで、上述した実施形態で生じ得る第１孔２ａ内の隙間を無くすことができる。この場合、二つの掛け金部１２のみを使用しても、Ｘ、Ｙ、Ｚ軸方向に動かないようにコネクタ本体１１をＰＣＢ基板２に固定させることができる。
【００４５】
ロックピン部１８は、図４及び図５に示したように、ＰＣＢ基板２の厚さに対応する長さだけ、ＰＣＢ基板２の一面に当接するコネクタ本体の下端部１１ａから下方（−Ｚ軸方向）に突出し、ＰＣＢ基板２の第２孔２ｂ内に締り嵌めされて締結される部分である。
【００４６】
このようなロックピン部１８は、ＰＣＢ基板２に対するコネクタハウジング１０の装着方向をガイドするだけでなく、ＰＣＢ基板２の第２孔２ｂと締り嵌めされることで、コネクタ本体１１のＸ、Ｙ軸方向の移動を抑制する。特に、ロックピン部１８は、掛け金部１２のみでは足りないコネクタ本体１１のＹ軸方向の固定性を強化する役割をする。
【００４７】
特に、本実施形態によるロックピン部１８は、コネクタの本体の両側の外面と交差する方向に位置したコネクタ本体１１の下端部に備えられ、両側の掛け金部１２と等変三角構造を成す箇所に位置する。このようなロックピン部１８は、二つの掛け金部１２から同距離に位置することで、二つの掛け金部１２に作用する荷重を均等に吸収することができる。
【００４８】
上述したように、第１孔２ａとレバー部１６との間の隙間によって、コネクタ本体１１の±Ｙ軸方向の固定性は他の方向に比べて多少不完全である。しかし、ロックピン部１８はレバー部１６と交差する方向で第２孔２ｂ内に締り嵌めされるため、第２孔２ｂとの間で隙間が生じない。したがって、ロックピン部１８は、掛け金部１２のみでは足りないコネクタ本体１１の±Ｙ軸方向の固定性を補強でき、コネクタ本体１１に外力が作用するとき、Ｘ、Ｙ軸方向への荷重を吸収することで掛け金部１２の破損を防止することができる。
【００４９】
図１０は本発明の一実施形態による垂直式ＰＣＢコネクタの分解斜視図であり、図１１は図１０のターミナル部材２０を示した斜視図であり、図１２は本発明の一実施形態によるコネクタハウジング１０にターミナル部材２０を組み立てた状態を示した斜視図である。
【００５０】
これら図面に示したように、折曲型ターミナル部材２０は、コネクタ本体１１の下部から上方に挿入されてコネクタ本体１１の内部に設けられ、一側はＰＣＢ基板２の一面と直交する方向に対応する第１方向に延びて信号伝送用ケーブル４０に連結され、他側はＰＣＢ基板２の一面に備えられる接触パッド３の長手方向に対応する第２方向に延びて対応する接触パッド３に接触可能に設けられる。
【００５１】
より具体的に折曲型ターミナル部材２０は、図１１に示したように、コネクタ本体１１との組み立てを容易にするために機械的剛性を有する部分であるターミナルボディ部２１、及びＰＣＢ基板２の接触パッド３との安定的な接触のために弾性を有する部分であるターミナルコンタクト部２２を含んで構成される。
【００５２】
ターミナルボディ部２１は、所定の厚さを有するブロック形態であって第１方向に延びる垂直部２３、及び垂直部２３と交差して第２方向に延びる水平部２５を含む。
【００５３】
そして、ターミナルコンタクト部２２は、水平部２５よりも薄くて水平部２５の終端から第２方向に延びるカンチレバー型で設けられ、ＰＣＢ基板２の接触パッド３方向に曲げられた接点部２２ａを含む。
【００５４】
このような折曲型ターミナル部材２０を収容するためコネクタ本体１１は、図５、図１０及び図１２に示したように、第１方向と交差する方向（Ｘ、Ｙ軸方向）でコネクタ本体１１の内部空間を分割する内部板１５と、内部板１５の一側端部と隣接した位置に備えられ、互いに所定間隔を置いて第１方向でコネクタ本体１１の内部にトンネルを形成する複数の貫通孔１３をさらに含む。
【００５５】
そして、内部板１５は、一定間隔を置いて第１方向の反対方向（−Ｚ軸方向）に突出する複数の隔壁部１７をさらに備えることができる。隔壁部１７同士の間隔はターミナルボディ部２１の水平部２５の幅と同じである。
【００５６】
本実施形態の内部板１５は、コネクタ本体１１の±Ｘ軸方向の内部幅よりも多少小さい幅を有し、貫通孔１３は内部板１５の一側端部とコネクタ本体１１の後面部との間に設けられる。
【００５７】
また、内部板１５は、コネクタ本体１１の下端部のレベルから第１方向（＋Ｚ軸方向）に所定の距離だけ離隔した箇所に設けられる。ここで、所定の距離はコネクタハウジング１０をＰＣＢ基板２の一面に装着したとき、ターミナルコンタクト部２２の接点部が少なくともＰＣＢ基板２の接触パッド３に接触可能な範囲以内の距離である。
【００５８】
折曲型ターミナル部材２０は、垂直部２３及び水平部２５から構成されたターミナルボディ部２１が略「Ｌ」字状であるため、図５及び図１２に示したように、垂直部２３がそれぞれ対応するコネクタ本体１１の貫通孔１３内に一定深さまで挿入されれば、水平部２５が内部板１５に接触するようになる。
【００５９】
また、垂直部２３は離脱防止ピン２３ａをさらに備えることができる。離脱防止ピン２３ａは第１方向の反対方向（−Ｚ軸方向）に向かい、垂直部２３と鋭角を成すように斜めに突出する。このような離脱防止ピン２３ａは、図５のように、垂直部２３を貫通孔１３に挿入したとき、水平部２５が内部板１５に当接する面の裏面に配置され得る。したがって、垂直部２３は、離脱防止ピン２３ａが内部板１５の裏面に係止しているため、貫通孔１３から容易に抜け出なくなる。
【００６０】
そして、貫通孔１３内にはストッパ部１９をさらに備えることができる。ストッパ部１９は、コネクタ本体１１の上端部から下端部に延設されて垂直部２３の終端を支持する。また、コネクタ本体１１の上端部にはストッパ部１９を介在して貫通孔１３の内部と連通するピン孔１３ａがさらに設けられる。このようなピン孔１３ａにジグを入れて離脱防止ピン２３ａを押した後、垂直部２３を貫通孔１３から抜き取ることができる。
【００６１】
複数の折曲型ターミナル部材２０の水平部２５は、内部板１５の隔壁部１７同士の間に配置される。この場合、水平部２５及び水平部２５の終端から延びるターミナルコンタクト部２２は、複数の隔壁部１７によって沿面距離が一定に維持されるため、ターミナル同士の短絡を防止することができる。
【００６２】
ターミナルコンタクト部２２は、水平部２５の終端から第２方向（＋軸方向）に延びるカンチレバー型であり、曲げられた接点部を有することで、ＰＣＢ基板２の接触パッド３と弾性的に接触することができる。例えば、コネクタハウジング１０をＰＣＢ基板２の一面に取り付けたとき、接触パッド３の方向に弾性復元力が作用するように、少なくともターミナルコンタクト部２２における接点部２２ａはコネクタ本体の下端部１１ａよりも外側に突出するように設けられる。
【００６３】
リテーナ３０は、図４及び図５に示したように、折曲型ターミナル部材２０の下部からターミナルボディ部２１を支持する構成要素であって、詳しくは図示していないが、コネクタ本体１１の下端部に例えばスナップフィット（ｓｎａｐ−ｆｉｔ）方式で取り付けられる。コネクタ本体１１の内部に挿入配置された折曲型ターミナル部材２０は、内部板１５、ストッパ部１９、離脱防止ピン２３ａ及びリテーナ３０によって上下方向に固定され、貫通孔１３、隔壁部１７及びリテーナ３０によって水平方向に固定される。
【００６４】
上記のような本発明の一実施形態による垂直式ＰＣＢコネクタの構成によれば、従来ＰＣＢ基板２に取り付けた相補型コネクタを使用せずに、ＰＣＢ基板２の一面に垂直式ＰＣＢコネクタを直接接続できるため、コネクタの構造及び製造工程を簡素化して製造コストを節減することができる。
【００６５】
また、ＰＣＢ基板２の一面に垂直に装着できるため、従来の基板エッジ接続型コネクタに比べて接続位置上の制約がなく、ＰＣＢ基板２の空間自由度または活用性が増大し、コネクタの固定性が優れて外力によるコネクタの脱去や接触不良を著しく減らすことができる。
【００６６】
以上のように、本発明の望ましい実施形態を、図面を参照して説明したが、本発明は上述した特定の望ましい実施形態に限定されず、本発明が属する技術分野で通常の知識を持つ者であれば、特許請求の範囲で請求する本発明の要旨から逸脱することなく多様な変形実施が可能であり、そのような変更も請求範囲の記載の範囲内であることは言うまでもない。
【００６７】
一方、本明細書において、上、下、左、右などのように方向を表す用語が使われたが、このような用語は説明の便宜上使用されたものであって、観測者の位置や対象になる物の位置などによって変わり得ることは本発明の当業者にとって自明である。
【図１】
2020532834.tif 000003
【図２】
2020532834.tif 000004
【図３】
2020532834.tif 000005
【図４】
2020532834.tif 000006
【図５】
2020532834.tif 000007
【図６】
2020532834.tif 000008
【図７】
2020532834.tif 000009
【図８】
2020532834.tif 000010
【図９】
2020532834.tif 000011
【図１０】
2020532834.tif 000012
【図１１】
2020532834.tif 000013
【図１２】
2020532834.tif 000014
【国際調査報告】
2020532834.tif 000015
2020532834.tif 000016
2020532834.tif 000017
2020532834.tif 000018